(57)【要約】【課題】ＬＥＤ列の左右両端に駆動回路構造を配置して構成した駆動回路により、ＬＥＤ列を駆動して発光させる直管形ＬＥＤランプ用の分離式駆動回路構造を提供する。【解決手段】直管形ＬＥＤランプ用の分離式駆動回路構造は、管体２１と、管体２１内部に配置された少なくとも１つのＬＥＤ列２２とを備える。管体２１内部のＬＥＤ列２２の左右両端には、駆動回路ユニット２３１，２３２がそれぞれ配置され、伝送線２３３を介して一方の端部に配置された駆動回路ユニット２３１，２３２と他方の端部に配置された駆動回路ユニット２３１，２３２とが接続され、ＬＥＤ列２２を駆動して発光させる駆動回路を構成する。ＬＥＤ列２２上には、複数のＬＥＤ２２１が設けられる。管体２１は直管状である。【選択図】図３
0003179599.tif 000002
【実用新案登録請求の範囲】
【請求項１】
管体と、前記管体内部に配置された少なくとも１つのＬＥＤ列と、を備えた直管形ＬＥＤランプ用の分離式駆動回路構造であって、
前記管体内部のＬＥＤ列の左右両端には、２つの駆動回路ユニットがそれぞれ配置され、
一方の端部に配置された前記駆動回路ユニットと他方の端部に配置された前記駆動回路ユニットとが伝送線を介して接続され、
前記ＬＥＤ列を駆動して発光させる駆動回路を構成することを特徴とする直管形ＬＥＤランプ用の分離式駆動回路構造。
【請求項２】
前記ＬＥＤ列上には、複数のＬＥＤが設けられることを特徴とする請求項１に記載の直管形ＬＥＤランプ用の分離式駆動回路構造。
【請求項３】
前記管体は直管状であることを特徴とする請求項１に記載の直管形ＬＥＤランプ用の分離式駆動回路構造。
【請求項４】
前記分離式駆動回路構造は、前記伝送線を介して２つの前記駆動回路ユニットが互いに接続されて完全な駆動回路構造に形成され、一方の端部に配置された前記駆動回路ユニットが前記ＬＥＤ列と接続され、前記ＬＥＤ列を駆動して発光させることを特徴とする請求項１に記載の直管形ＬＥＤランプ用の分離式駆動回路構造。
【請求項５】
前記管体内部のＬＥＤ列の左右両端にそれぞれ配置した前記駆動回路ユニットは、ＥＭＩフィルタ回路モジュールと、整流回路モジュールと、ＬＥＤ制御回路モジュールと、直管形ＬＥＤランプを駆動する他の回路モジュールと、を有することを特徴とする請求項４に記載の直管形ＬＥＤランプ用の分離式駆動回路構造。
【請求項６】
一方の端部に配置された前記駆動回路ユニットは、ＥＭＩフィルタ回路モジュールと整流回路モジュールとの組み合わせにより構成され、
他方の端部に配置された前記駆動回路ユニットは、ＬＥＤ制御回路モジュールと直管形ＬＥＤランプを駆動する他の回路モジュールとの組み合わせにより構成されることを特徴とする請求項１に記載の直管形ＬＥＤランプ用の分離式駆動回路構造。
【請求項７】
前記管体内部のＬＥＤ列の左右両端にそれぞれ配置した前記駆動回路ユニットは、ＥＭＩフィルタ回路モジュール、整流回路モジュール及びＬＥＤ制御回路モジュールが直管形ＬＥＤランプの両端に選択的に配置されて構成され、前記伝送線により互いに接続されて完全な駆動回路構造を形成することを特徴とする請求項１に記載の直管形ＬＥＤランプ用の分離式駆動回路構造。
【考案の詳細な説明】
【技術分野】
【０００１】
本考案は、直管形ＬＥＤランプ用の分離式駆動回路構造に関し、特に、直管形ＬＥＤランプ内部のＬＥＤ列の左右両端に配置された駆動回路構造により、ＬＥＤ列を駆動して発光させる直管形ＬＥＤランプ用の分離式駆動回路構造に関する。
【背景技術】
【０００２】
ＬＥＤ（発光ダイオード）は、消費電力が少なく、使用寿命が長く、体積が小さく、反応速度が速いため、様々な照明に広く利用され、蛍光灯を代替する直管形ＬＥＤランプがメーカにより開発されている。従来の直管形ＬＥＤランプは、管体内に左右２本のＬＥＤ列が配置されるとともに、管体内部の両端には、ＬＥＤ列と接続された駆動回路構造がそれぞれ配置され、両端で駆動させて各ＬＥＤ列を発光させる。
【０００３】
両端で駆動する構造以外に、１つのＬＥＤ列を一方の端部だけで駆動させて発光させることができる直管形ＬＥＤランプ１がメーカにより既に開発されている。例えば、図１及び図２に示すように、管体１１中に長尺状のＬＥＤ列１２を１本だけ配置し、１つの駆動回路１３により、ＬＥＤ列１２のＬＥＤ１２１を駆動させて発光させる構造を開発することがメーカにより試みられている。しかし、このような構造の場合、長尺状のＬＥＤ列１２を駆動させるために、駆動回路１３上に配置する素子の数が増えてサイズが大きくなる虞がある。また、管体１１の管径を大きくしなければ、駆動回路１３を管体１１内部に収容させることができないため、管体１１の管径が大きくなり、製造コストが増える虞がある。
【０００４】
そこで、駆動回路構造を２つに分割し、管体内部の左右両端に駆動回路構造を配置することができれば、駆動回路が占有する管体内の収容空間の占有空間を減らすことができる上、管体の管径を小さくし、直管形ＬＥＤランプを小型化することができる。
【考案の概要】
【考案が解決しようとする課題】
【０００５】
本考案の目的は、ＬＥＤ列の左右両端に駆動回路構造を配置して構成した駆動回路により、ＬＥＤ列を駆動して発光させる直管形ＬＥＤランプ用の分離式駆動回路構造を提供することにある。
【課題を解決するための手段】
【０００６】
上記課題を解決するために、管体と、前記管体内部に配置された少なくとも１つのＬＥＤ列と、を備えた直管形ＬＥＤランプ用の分離式駆動回路構造であって、前記管体内部のＬＥＤ列の左右両端には、駆動回路ユニットがそれぞれ配置され、伝送線を介して一方の端部に配置された前記駆動回路ユニットと他方の端部に配置された前記駆動回路ユニットとが接続され、前記ＬＥＤ列を駆動して発光させる駆動回路を構成することを特徴とする直管形ＬＥＤランプ用の分離式駆動回路構造が提供される。
【０００７】
また、前記ＬＥＤ列上には、複数のＬＥＤが設けられることが好ましい。
【０００８】
また、前記管体は直管状であることが好ましい。
【０００９】
また、前記駆動回路ユニットは、前記伝送線を介して互いに接続されて完全な駆動回路構造に形成され、一方の端部に配置された前記駆動回路ユニットが前記ＬＥＤ列と接続され、前記ＬＥＤ列を駆動して発光させることが好ましい。
【００１０】
また、前記完全な駆動回路構造は、ＥＭＩフィルタ回路モジュールと、整流回路モジュールと、ＬＥＤ制御回路モジュールと、直管形ＬＥＤランプを駆動する他の回路モジュールと、を有することが好ましい。
【００１１】
また、一方の端部に配置された前記駆動回路ユニットは、ＥＭＩフィルタ回路モジュールと整流回路モジュールとの組み合わせにより構成され、他方の端部に配置された前記駆動回路ユニットは、ＬＥＤ制御回路モジュールと直管形ＬＥＤランプを駆動する他の回路モジュールとの組み合わせにより構成されることが好ましい。
【００１２】
また、前記駆動回路ユニットは、ＥＭＩフィルタ回路モジュール、整流回路モジュール及びＬＥＤ制御回路モジュールが直管形ＬＥＤランプの両端に選択的に配置されて構成され、前記伝送線により互いに接続されて完全な駆動回路構造を形成することが好ましい。
【考案の効果】
【００１３】
本考案の直管形ＬＥＤランプ用の分離式駆動回路構造は、以下の効果を有する。
（１）伝送線を介して管体内部の左右両端に設けた駆動回路構造を接続し、ＬＥＤ列を駆動する駆動回路を構成することにより、直管形ＬＥＤランプの管径を小さくすることができる。
（２）駆動回路構造を分割して管体内部の左右両端に設けることにより、駆動回路構造の収容空間を小さくし、直管形ＬＥＤランプの製造コストを減らすことができる
【図面の簡単な説明】
【００１４】
【図１】従来の直管形ＬＥＤランプの構造を示す斜視図である。
【図２】従来の直管形ＬＥＤランプの構造を示す側面図である。
【図３】本考案の一実施形態に係る直管形ＬＥＤランプ用の分離式駆動回路構造を示す斜視図である。
【図４】本考案の一実施形態に係る直管形ＬＥＤランプ用の分離式駆動回路構造を示す側面図である。
【図５】本考案の一実施形態に係る直管形ＬＥＤランプ用の分離式駆動回路構造の完全な駆動回路構造を示すブロック図である。
【考案を実施するための形態】
【００１５】
図３及び図４を参照する。本考案の一実施形態に係る直管形ＬＥＤランプ用の分離式駆動回路構造に係る直管形ＬＥＤランプ２は、管体２１と、管体２１内部に配置された少なくとも１つのＬＥＤ列２２と、を含む。管体２１内部のＬＥＤ列２２の左右両端には、駆動回路ユニット２３１，２３２がそれぞれ配置される。駆動回路ユニット２３１，２３２は、完全な駆動回路構造２３が分割されて形成されたものである。そのため、これら駆動回路ユニット２３１，２３２間は、ＬＥＤ列２２を駆動して発光させる駆動回路を構成することができるように、伝送線２３３を介して接続させる必要がある。従来技術の図２と本実施形態の図４とを比較すると分かるように、駆動回路ユニット２３１，２３２を利用すると、管体２１の管径を小さくし、直管形ＬＥＤランプを小型化することができる。
【００１６】
図５を参照する。図５に示すように、両端にそれぞれ配置した駆動回路ユニット２３１，２３２は、伝送線２３３を介して互いに接続されると完全な駆動回路構造２３に形成することができる。完全な駆動回路構造２３は、ＥＭＩフィルタ回路モジュール２３０１と、整流回路モジュール２３０２と、ＬＥＤ制御回路モジュール２３０３と、直管形ＬＥＤランプを駆動するために用いるその他の回路モジュール（図示せず）と、を含む。ＥＭＩフィルタ回路モジュール２３０１は、受け取った交流電流をフィルタ処理し、不要なノイズを除去する。整流回路モジュール２３０２は、フィルタ処理された後の交流信号（正弦波）を直流信号（半波正弦波）へ変換し、ＬＥＤ列２２と接続されたＬＥＤ制御回路モジュール２３０３へこの直流信号を入力し、ＬＥＤ列２２を駆動して発光させる。
【００１７】
以下、本考案の最も好適な実施形態を説明する。ＥＭＩフィルタ回路モジュール２３０１及び整流回路モジュール２３０２を第１の端部の駆動回路ユニット２３１上に配置し、第１の端部の駆動回路ユニット２３１に外部の交流電源を直接接続する。しかし、第１の端部に配置された駆動回路ユニット２３１は、その中にＬＥＤ制御回路モジュール２３０３が配置されていないため、ＬＥＤ列２２に直接接続させることができない。
【００１８】
また、ＬＥＤ制御回路モジュール２３０３が、第２の端部に配置された駆動回路ユニット２３２に設けられているため、第２の端部に配置された駆動回路ユニット２３２には、ＬＥＤ列２２が接続される。そのため、第２の端部に配置された駆動回路ユニット２３２が、伝送線２３３を介して第１の端部に配置された駆動回路ユニット２３１と接続されると、ＬＥＤ制御回路モジュール２３０３に直流信号が入力され、ＬＥＤ制御回路モジュール２３０３がＬＥＤ列２２を発光させる電力を供給すると、ＬＥＤ列２２のＬＥＤ２２１が駆動発光する。
【００１９】
さらに、上述の実施形態の他、回路構成の必要に応じ、ＥＭＩフィルタ回路モジュール２３０１、整流回路モジュール２３０２及びＬＥＤ制御回路モジュール２３０３を直管形ＬＥＤランプの両端にそれぞれ配置してもよい。即ち、両端に配置した駆動回路ユニット２３１，２３２を伝送線２３３により互いに接続させて完全な駆動回路構造２３を形成すると、ＬＥＤ列２２を駆動発光させることができる。
【００２０】
上述したことから分かるように、本考案の直管形ＬＥＤランプ用の分離式駆動回路構造は、従来技術と比較して以下（１）及び（２）の長所を有する。
（１）伝送線を介して管体内部の左右両端に配置した駆動回路構造を接続し、ＬＥＤ列を駆動する駆動回路を構成することにより、直管形ＬＥＤランプの管径を小さくすることができる。
（２）駆動回路構造を分割して管体内部の左右両端に配置することにより、駆動回路構造の収容空間を小さくし、直管形ＬＥＤランプの製造コストを減らすことができる。
【００２１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１  直管形ＬＥＤランプ
２  直管形ＬＥＤランプ
１１  管体
１２  ＬＥＤ列
１３  駆動回路
２１  管体
２２  ＬＥＤ列
２３  完全な駆動回路構造
１２１  ＬＥＤ
２２１  ＬＥＤ
２３１  駆動回路ユニット
２３２  駆動回路ユニット
２３３  伝送線
２３０１  ＥＭＩフィルタ回路モジュール
２３０２  整流回路モジュール
２３０３  ＬＥＤ制御回路モジュール
【図１】
0003179599.tif 000003
【図２】
0003179599.tif 000004
【図３】
0003179599.tif 000005
【図４】
0003179599.tif 000006
【図５】
0003179599.tif 000007